(57)【特許請求の範囲】
【請求項１】
建物の外壁に設けられた開口部の外方側に配置され天空光を屋内に向けて反射させる屋外反射板と、前記屋外反射板と前記開口部の間又は前記開口部よりも屋内側に配置され前記屋外反射板からの反射光を屋内に導光する屋内反射板と、を備え、前記屋内反射板は、前記開口部に沿って複数枚連続して配置される採光装置であって、
各屋内反射板は、
前記開口部の正面方向に対して所定角度をなすように傾斜配置された平板状の第１反射部と、前記第１反射部の屋内側端部に連接された円弧状の第２反射部と、を備え、
前記第１反射部は、前記屋外反射板からの反射光を隣の前記屋内反射板の前記第１反射部に向けて反射させる１次反射部と、前記１次反射部からの反射光を室内に向けて反射させる２次反射部と、を有し、
前記第２反射部は、前記屋外反射板からの反射光を室内に向けて拡散反射させる凸状円弧面を有する、
採光装置。
【請求項２】
前記屋内反射板は、前記開口部の上下方向に複数枚連続して配置されており、
前記第１反射部は、外方側から屋内側になるに従って上方から下方に向けて傾斜するように形成され、その下面に前記１次反射部を有するとともに、その上面に前記２次反射部を有し、
前記第２反射部は、前記第１反射部の下端部に連接され下方に凸の円弧状に形成される、
請求項１に記載の採光装置。
【請求項３】
前記屋内反射板は、前記開口部の左右方向に複数枚連続して配置されており、
前記第１反射部は、外方側から屋内側になるに従って前記開口部の左側又は右側の一方から他方に向けて傾斜するように形成され、前記他方側の面に前記１次反射部を有する一方、前記一方側の面に前記２次反射部を有し、
前記第２反射部は、前記第１反射部の一対の端部のうち前記屋外反射板に遠い側の端部に連接され前記他方側に凸の円弧状に形成される、
請求項１に記載の採光装置。
【請求項４】
前記１次反射部の表面は、鏡面反射をする材料で形成され、
前記２次反射部の表面は、拡散反射をする材料で形成されている、
請求項１から３の何れか一項に記載の採光装置。
【請求項５】
前記第２反射部の前記凸状円弧面は、拡散反射をする材料で形成されている、
請求項１から４の何れか一項に記載の採光装置。
【請求項６】
前記屋内反射板の前記第１反射部の前記屋外反射板に近い側に位置する端部と、隣の前記屋内反射板の前記第２反射部の最も突出している凸部と、が前記開口部に対して垂直な方向に延在する同一直線上に配置され、前記開口部を正面視した場合に前記屋外反射板が全面に亘って複数枚の屋内反射板によって覆われている、
請求項１から５の何れか一項に記載の採光装置。
【請求項７】
建物の外壁に設けられた開口部に沿って複数枚連続して配置された屋内反射板を備えるルーバー装置であって、
各屋内反射板は、前記開口部の正面方向に対して所定角度をなすように傾斜配置された平板状の第１反射部と、前記第１反射部の屋内側端部に連接された円弧状の第２反射部と、を備え、
前記第１反射部は、屋外の光を隣の前記屋内反射板の前記第１反射部に向けて反射させる１次反射部と、前記１次反射部からの光を室内に向けて反射させる２次反射部と、を有し、
前記第２反射部は、屋外の光を室内に向けて拡散反射させる凸状円弧面を有する、ルーバー装置。
【発明の詳細な説明】
【技術分野】
【０００１】
本発明は、住宅建物等の窓に用いられる採光装置及びこの採光装置に用いられるルーバー装置に関する。
【背景技術】
【０００２】
従来、一日に亘って日差しが僅少な北側の部屋では、昼間であってもシーリングライト等の人工照明を点灯させて明るさを確保していた。特に、都市部においては住宅の過密化及び高層化が顕著になってきており、採光が不充分な部屋が一層増加している。このような採光不充分な部屋では、昼間でも照明が必要となるために電力消費量が増大してしまうだけでなく、勉強や仕事といった作業の効率が低下したり、段差等の視認性低下により事故の原因となったりする場合もある。また、かかる採光の事情により、北側には洗面所等のサーバントスペースを主として配すること等が一般的となり、建物の間取りにも制約を及ぼしてきている。
【０００３】
このような問題を解決すべく、窓の外方にスカイライトリフレクターなる反射板を設け、上空からの光（天空光）を室内に反射させる構成が提案されている（特許文献１参照）。また、窓の室内側に複数枚の凸型の鏡体からなる照明補助装置を設け、これら複数枚の鏡体の角度を調整して窓の屋内側に向けることにより、窓からの光を天井に照射させる技術も提案されている（特許文献２参照）。
【先行技術文献】
【特許文献】
【０００４】
【特許文献１】特開２００４−３１３６５号公報
【特許文献２】特開２０００−４８６１０号公報
【発明の概要】
【発明が解決しようとする課題】
【０００５】
前記した特許文献１及び２に記載された構成を組み合わせると、鏡体の角度を調節して屋外の反射板からの光を室内の天井に照射させる構成が得られる。
【０００６】
しかし、反射板からの光をすべて天井に照射させる構成となり、外壁に採光のために窓を設けているにもかかわらず、天空光を室内に到達させる開口となる窓自体が相対的に暗くなってしまうという問題があった。また、天空光は直射光よりも輝度が著しく小さいため、天空光を反射光として天井を照らしたとしてもその照度は小さく、結果的に天井を照射することとしても部屋全体の明るさ向上に貢献しない虞がある。
【０００７】
本発明は、かかる事情に鑑みてなされたものであり、住宅室内で採光が得にくい北側や隣棟が迫った面にある外壁開口部であっても、天空光を利用して、開口部からの明るさを確保しつつ、部屋全体の明るさの向上を図ることができる採光装置及びこの採光装置に用いるルーバー装置を提供することを目的とするものである。
【課題を解決するための手段】
【０００８】
前記目的を達成するため、本発明に係る採光装置は、建物の外壁に設けられた開口部の外方側に配置され天空光を屋内に向けて反射させる屋外反射板と、屋外反射板と開口部の間又は開口部よりも屋内側に配置され屋外反射板からの反射光を屋内に導光する屋内反射板と、を備え、屋内反射板は、開口部に沿って複数枚連続して配置される採光装置であって、各屋内反射板は、開口部の正面方向に対して所定角度をなすように傾斜配置された平板状の第１反射部と、第１反射部の屋内側端部に連接された円弧状の第２反射部と、を備え、第１反射部は、屋外反射板からの反射光を隣の屋内反射板の第１反射部に向けて反射させる１次反射部と、１次反射部からの反射光を室内に向けて反射させる２次反射部と、を有し、第２反射部は、屋外反射板からの反射光を室内に向けて拡散反射させる凸状円弧面を有するものである。
【０００９】
また、本発明に係るルーバー装置は、建物の外壁に設けられた開口部に沿って複数枚連続して配置された屋内反射板を備えるルーバー装置であって、各屋内反射板は、開口部の正面方向に対して所定角度をなすように傾斜配置された平板状の第１反射部と、第１反射部の屋内側端部に連接された円弧状の第２反射部と、を備え、第１反射部は、開口部の外方側に配置された屋外反射板からの反射光を隣の屋内反射板の第１反射部に向けて反射させる１次反射部と、１次反射部からの反射光を室内に向けて反射させる２次反射部と、を有し、第２反射部は、屋外反射板からの反射光を室内に向けて拡散反射させる凸状円弧面を有するものである。
【００１０】
かかる構成を採用すると、屋内反射板の第１反射部は、屋外反射板からの反射光を１次反射部で反射させるとともに隣の屋内反射板の２次反射部で反射させて屋内に導光する構成であるため、屋外反射板からの反射光を直接視野に入れることなく、開口部の明るさを確保することができる。また、屋内反射板の第２反射部は、凸状円弧面を有するため、第１反射部による光に対し有角状に光を反射させることができ、これによって、開口部の正面以外の空間を明るくさせることができる。これら複数枚の屋内反射板の第１反射部の効果及び第２反射部の効果により、屋外反射板からの光は、拡散された状態で、開口部正面とその周囲（開口部の正面以外の空間）とを照らすことができるものとなる。
【００１１】
本発明に係る採光装置又はルーバー装置において、屋内反射板を、開口部の上下方向に複数枚連続して配置することができる。かかる場合において、外方側から屋内側になるに従って上方から下方に向けて傾斜するように形成された第１反射部を採用し、第１反射部の下面に１次反射部を設け、第１反射部の上面に２次反射部を設けることができる。また、第１反射部の下端部に連接されて下方に凸の円弧状に形成された第２反射部を採用することができる。
【００１２】
かかる構成を採用すると、第１反射部は、屋外反射板からの反射光を１次反射部（下面）で反射させ、直下の屋内反射板の第１反射部の２次反射部（上面）で光を反射させることにより、屋外反射部からの強い光を直接視野に入れることなく、開口部及び部屋の明るさを確保することができる。また、第２反射部は、下方に凸の円弧状であるため部屋の床方向に光を反射させ、部屋内の天井よりも床下方向を明るくさせる効果を有する。これら複数枚の屋内反射板の第１反射部の効果及び第２反射部の効果により、屋外反射板からの光は、拡散された状態で、屋内の開口部と同じ高さ位置よりも下方を、開口部廻りから床に向けて拡散光たる緩やかな光によって照らすことができるものとなる。
【００１３】
また、本発明に係る採光装置又はルーバー装置において、屋内反射板を、開口部の左右方向に複数枚連続して配置することもできる。かかる場合において、外方側から屋内側になるに従って開口部の左側から右側に向けて（右側から左側に向けて）傾斜するように形成された第１反射部を採用し、第１反射部の右側（左側）の面に１次反射部を設け、第１反射部の左側（右側）の面に２次反射部を設けることができる。また、第１反射部の右側（左側）（一対の端部のうち屋外反射板に遠い側）の端部に連接されて右側（左側）に凸の円弧状に形成された第２反射部を採用することができる。
【００１４】
かかる構成を採用すると、第１反射部は、屋外反射板からの反射光を１次反射部（例えば右側の面）で反射させ、隣の屋内反射板の第１反射部の２次反射部（左側の面）で光を反射させることにより、屋外反射部からの強い光を直接視野に入れることなく、開口部及び部屋の明るさを確保することができる。また、第２反射部は、例えば右側（左側）に凸の円弧状であるため部屋の右方向（左方向）に光を反射させ、部屋内の右方向（左方向）を明るくさせる効果を有する。これら複数枚の屋内反射板の第１反射部の効果及び第２反射部の効果により、屋外反射板からの光は、拡散された状態で、屋内の開口部と開口部の右側（左側）とを照らすことができるものとなる。なお、開口部の右側、左側とは、開口部を室内側から正面視した場合の右側、左側のことをいう。
【００１５】
また、本発明に係る採光装置又はルーバー装置において、鏡面反射をする材料で第１反射部の１次反射部の表面を形成し、拡散反射をする材料で第１反射部の２次反射部の表面を形成することができる。
【００１６】
かかる構成を採用すると、第１反射部で処理すべき光は、２次反射部に照射するまでは正反射されることとなり、第１反射部により屋内に導かれる光の複数反射による輝度低下を抑制することができる。
【００１７】
また、本発明に係る採光装置又はルーバー装置において、拡散反射をする材料で第２反射部の凸状円弧面を形成することができる。
【００１８】
かかる構成を採用すると、第２反射部による拡散反射をより向上させることができる。
【００１９】
また、本発明に係る採光装置又はルーバー装置において、屋内反射板の第１反射部の屋外反射板に近い側に位置する端部と、隣の屋内反射板の第２反射部の最も突出している凸部と、を開口部に対して垂直な方向に延在する同一直線上に配置し、開口部を正面視した場合に屋外反射板が全面に亘って複数枚の屋内反射板によって覆われるようにすることができる。
【００２０】
かかる構成を採用すると、開口部を室内側から正面視した場合に、各屋内反射板同士が視覚上繋げられることとなる。従って、室内から屋外反射板を直接目視することがなくなる（屋外反射板からの反射光が屋内反射板を反射することなく室内に導光されることが防止される）ため、まぶしさを低減させることができる。
【発明の効果】
【００２１】
本発明によれば、天空光を利用して、開口部の明るさを確保しつつ、部屋全体の明るさの向上を図ることができる。
【図面の簡単な説明】
【００２２】
【図１】本発明の第１実施形態に係る採光装置の構成図である。
【図２】図１の採光装置を構成する屋内反射板のII部分の拡大図である。
【図３】図１の採光装置を設けた開口部及びその周囲空間を室内側から見た場合の図である。
【図４】本発明の第２実施形態に係る採光装置の構成図である。
【図５】図４の採光装置を設けた開口部及びその周囲空間を室内側から見た場合の図である。
【発明を実施するための形態】
【００２３】
以下、図面を参照して、本発明の実施形態に係る採光装置について説明する。なお、本実施形態はあくまでも好適な適用例であって、本発明の適用範囲がこれに限定されるものではない。
【００２４】
＜第１実施形態＞
最初に、図１〜図３を用いて、本発明の第１実施形態に係る採光装置１について説明する。
【００２５】
本実施形態に係る採光装置１は、図１に示すように、建物の外壁Ｗに設けられた開口部Ｏ（窓部）の外方側に配置された屋外反射板２と、開口部Ｏよりも屋内側に配置され屋外反射板２からの反射光を屋内に導光するルーバー装置３と、を備えている。ルーバー装置３は、開口部Ｏの上下方向に沿って複数枚連続して配置された屋内反射板１０を有している。
【００２６】
屋外反射板２は、天空光Ｌを屋内に向けて反射させるように機能する板状体であり、その表面２ａは鏡面反射をする材料で構成されている。本実施形態における屋外反射板２は、図１に示すように、外方側から屋内側になるに従って上方から下方へと延在し水平方向に対して４５°の角度をなすように傾斜配置されている。屋外反射板２５がこのような角度で配置されているため、上方からの天空光Ｌは、図１に示すように水平方向に反射して開口部Ｏに入射することとなる。
【００２７】
ルーバー装置３を構成する各屋内反射板１０は、図２に示すように、平板状の第１反射部１１と、第１反射部１１の屋内側端部（下端部）に連接されて下方に凸の円弧状に形成された第２反射部１２と、を有している。本実施形態における第１反射部１１は、外方側から屋内側になるに従って上方から下方へと延在し水平方向に対して４５°の角度をなすように（すなわち屋外反射板２と平行になるように）傾斜配置されている。
【００２８】
屋内反射板１０の第１反射部１１は、屋外反射板２からの反射光Ｌ0を、隣の屋内反射板１０の第１反射部１１に向けて反射させる１次反射部１１ａと、１次反射部１１ａからの反射光Ｌ1を室内に向けて反射させる２次反射部１１ｂと、を有している。本実施形態においては、図２に示すように、第１反射部１１の下面に１次反射部１１ａを設け、第１反射部１１の上面に２次反射部１１ｂを設けている。１次反射部１１ａの表面は鏡面反射をする材料で形成されており、２次反射部１１ｂの表面は拡散反射をする材料で形成されている。
【００２９】
本実施形態においては、屋内反射板１０の第１反射部１１が水平方向に対して４５°の角度をなすように傾斜配置されており、これによって屋外反射板２の反射面２ａと第１反射部１１とは平行な状態で傾斜配置されているものとなっている。このため、屋外反射板２からの反射光Ｌ0は、図２に示すように第１反射部１１の１次反射部１１ａで鉛直方向下方に反射し（１次反射光Ｌ1）、さらに第１反射部１１の２次反射部１１ｂで拡散反射して（２次反射光Ｌ11）屋内に入射することとなる。
【００３０】
屋内反射板１０の第２反射部１２は、屋外反射板２からの反射光Ｌ0を室内に向けて拡散反射させる凸状円弧面１２ａを有している。凸状円弧面１２ａは、所定の半径を有する正円の一部を切り取った円弧面である。凸状円弧面１２ａの一方の端部からこの端部における接線を延在させ、当該円弧面として第２反射部１２を設定する一方、当該接線として第１反射部１１を設定し、これらを連結することにより屋内反射板１０が形成されている。また、第２反射部１２の凸状円弧面１２ａは、拡散反射をする材料で形成されている。本実施形態においては、屋内反射板１０の第２反射部１２が下方に凸の円弧状に形成されている。このため、屋外反射板２からの反射光Ｌ0は、図２に示すように第２反射部１２の凸状円弧面１２ａで床方向に拡散反射して（拡散反射光Ｌ2）屋内に入射することとなる。なお、拡散反射光Ｌ2は、隣の屋内反射板１０の第２反射部１２の凹状円弧面１２ｂでさらに拡散反射して屋内に入射する場合もある。
【００３１】
本実施形態においては、図１及び図２に示すように、屋内反射板１０の第１反射部１１の屋外反射板２に近い側に位置する端部１１ｃと、隣（下方）の屋内反射板１０の第２反射部１２の最も突出している凸部１２ｃと、を開口部Ｏに対して垂直な方向（水平方向）に延在する同一直線Ｓ上に配置している。換言すると、屋内反射板１０の円弧状に形成された第２反射部１２の最も突出している凸部１２ｃにおける接線（直線Ｓ）が、隣（上方）の屋内反射板１０の第１反射部１１の屋外反射板２に近い側に位置する端部１１ｃを通過するようになっている。これにより、開口部Ｏを正面視した場合に、屋外反射板２が全面に亘って複数枚の屋内反射板１０によって覆われることとなる。
【００３２】
以上説明した実施形態に係る採光装置１においては、屋内反射板１０の第１反射部１１が屋外反射板２からの反射光Ｌ0を１次反射部１１ａ（下面）で反射させ、直下の屋内反射板１０の第１反射部１１の２次反射部１１ｂ（上面）で光を拡散反射させる。これにより、屋外反射部２からの強い光を直接視野に入れることなく、図３に示すように開口部Ｏ及び部屋の明るさを確保する（２次反射光Ｌ11）。また、第２反射部１２は、下方に凸の円弧状であるため、図３に示すように部屋の床方向に光を反射させ（拡散反射光Ｌ2）、部屋内の天井よりも床下方向を明るくさせる効果を有する。これら複数枚の屋内反射板１０の第１反射部１１の効果及び第２反射部１２の効果により、屋外反射板２からの光は、拡散された状態で、屋内の開口部Ｏと同じ高さ位置よりも下方を、開口部Ｏ廻りから床面に向けて拡散光たる緩やかな光によって照らすこととなる。
【００３３】
また、以上説明した実施形態に係る採光装置１においては、鏡面反射をする材料で第１反射部１１の１次反射部１１ａの表面を形成し、拡散反射をする材料で第１反射部１１の２次反射部１１ｂの表面を形成している。このため、第１反射部１１で処理すべき光は、２次反射部１１ｂに照射するまでは正反射されることとなり、第１反射部１１により屋内に同行される光の複数反射による光束低下が抑制される。
【００３４】
また、以上説明した実施形態に係る採光装置１においては、拡散反射をする材料で第２反射部１２の凸状円弧面１２ａを形成している。このため、第２反射部１２による拡散反射がより向上することとなる。
【００３５】
また、以上説明した実施形態に係る採光装置１においては、屋内反射板１０の第１反射部１１の屋外反射板２に近い側に位置する端部１１ｃと、隣の屋内反射板１０の第２反射部１２の最も突出している凸部１２ｃと、を水平方向に延在する同一直線Ｓ上に配置している。このため、開口部Ｏを室内側から正面視した場合に、各屋内反射板１０同士が視覚上繋げられ、屋外反射板２が全面に亘って複数枚の屋内反射板１０によって覆われる。従って、室内から屋外反射板２を直接目視することがない（屋外反射板２からの反射光Ｌ0が屋内反射板１０を反射することなく室内に導光されることが防止される）ため、まぶしさが低減されることとなる。
【００３６】
＜第２実施形態＞
次に、図４及び図５を用いて、本発明の第２実施形態に係る採光装置１Ａについて説明する。本実施形態に係る採光装置１Ａは、第１実施形態に係る採光装置１におけるルーバー装置３（屋内反射板１０）の配置態様を変更したものである。
【００３７】
本実施形態に係る採光装置１Ａは、図４に示すように、建物の外壁Ｗに設けられた開口部Ｏ（窓部）の外方側に配置された屋外反射板２と、開口部Ｏよりも屋内側に配置され屋外反射板２からの反射光を屋内に導光するルーバー装置３Ａと、を備えている。ルーバー装置３Ａは、開口部Ｏの左右方向に沿って複数枚連続して配置された屋内反射板１０を有している。屋外反射板２の構成や機能については、第１実施形態と同様であるので説明を省略する。
【００３８】
ルーバー装置３Ａを構成する各屋内反射板１０Ａは、図４に示すように、平板状の第１反射部１１Ａと、第１反射部１１Ａの屋内側端部（左側端部）に連接されて左側に凸の円弧状に形成された第２反射部１２Ａと、を有している。本実施形態における第１反射部１１Ａは、外方側から屋内側になるに従って右側から左側へと延在し、開口部Ｏに垂直な方向（直線Ｓの延在方向）に対して４５°の角度をなすように傾斜配置されている。
【００３９】
屋内反射板１０Ａの第１反射部１１Ａは、屋外反射板２からの反射光Ｌ0を、隣の屋内反射板１０Ａの第１反射部１１Ａに向けて反射させる１次反射部１１Ａａと、１次反射部１１Ａａからの反射光Ｌ1を室内に向けて反射させる２次反射部１１Ａｂと、を有している。本実施形態においては、図４に示すように、第１反射部１１Ａの左側の面に１次反射部１１Ａａを設け、第１反射部１１Ａの右側の面に２次反射部１１Ａｂを設けている。１次反射部１１Ａａの表面は鏡面反射をする材料で形成されており、２次反射部１１Ａｂの表面は拡散反射をする材料で形成されている。
【００４０】
本実施形態においては、屋内反射板１０Ａの第１反射部１１Ａが開口部Ｏに垂直な方向に対して４５°の角度をなすように傾斜配置されている。このため、屋外反射板２からの反射光Ｌ0は、図４に示すように第１反射部１１Ａの１次反射部１１Ａａで左方向に反射し（１次反射光Ｌ1）、さらに第１反射部１１Ａの２次反射部１１Ａｂで拡散反射して（２次反射光Ｌ11）屋内に入射することとなる。
【００４１】
屋内反射板１０Ａの第２反射部１２Ａは、屋外反射板２からの反射光Ｌ0を室内に向けて拡散反射させる凸状円弧面１２Ａａを有している。第２反射部１２Ａの凸状円弧面１２Ａａは、拡散反射をする材料で形成されている。本実施形態においては、屋内反射板１０Ａの第２反射部１２Ａが左側に凸の円弧状に形成されている。このため、屋外反射板２からの反射光Ｌ0は、図４に示すように第２反射部１２Ａの凸状円弧面１２Ａａで左側に拡散反射して（拡散反射光Ｌ2）屋内に入射することとなる。
【００４２】
本実施形態においては、図４に示すように、屋内反射板１０Ａの第１反射部１１Ａの屋外反射板２に近い側に位置する端部１１Ａｃと、隣の屋内反射板１０Ａの第２反射部１２Ａの最も突出している凸部１２Ａｃと、を開口部Ｏに対して垂直な方向に延在する同一直線Ｓ上に配置している。これにより、開口部Ｏを正面視した場合に、屋外反射板２が全面に亘って複数枚の屋内反射板１０Ａによって覆われることとなる。
【００４３】
以上説明した実施形態に係る採光装置１Ａにおいては、屋内反射板１０Ａの第１反射部１１Ａが屋外反射板２からの反射光Ｌ0を１次反射部１１Ａａ（左側の面）で反射させ、隣の屋内反射板１０Ａの第１反射部１１Ａの２次反射部１１Ａｂ（右側の面）で光を拡散反射させる。これにより、屋外反射部２からの強い光を直接視野に入れることなく、図５に示すように開口部Ｏ及び部屋の明るさを確保する（２次反射光Ｌ11）。また、第２反射部１２Ａは、左側に凸の円弧状であるため、図５に示すように部屋の左方向に光を反射させ（拡散反射光Ｌ2）、部屋内の左方向を明るくさせる効果を有する。これら複数枚の屋内反射板１０Ａの第１反射部１１Ａの効果及び第２反射部１２Ａの効果により、屋外反射板２からの光は、拡散された状態で、屋内の開口部Ｏと開口部Ｏの左側とを照らすこととなる。
【００４４】
また、以上説明した実施形態に係る採光装置１Ａにおいては、鏡面仕上げを施したアルミや光沢塗装を施す等して鏡面反射をする材料で第１反射部１１Ａの１次反射部１１Ａａの表面を形成し、ヘアライン仕上げを施したアルミやつや消し塗装を施す等して拡散反射をする材料で第１反射部１１Ａの２次反射部１１Ａｂの表面を形成している。このため、第１反射部１１Ａで処理すべき光は、２次反射部１１Ａｂに照射するまでは正反射されることとなり、第１反射部１１Ａにより屋内に導かれる光の複数反射による輝度低下が抑制される。また、第１反射部Ａの２次反射面１１Ａｂは、１次反射面１１Ａａから入射する光を室内に反射させるため室内に面するものとなっているが、２次反射面１１Ａｂが拡散反射可能な面として形成されていることにより、２次反射面１１Ａｂを視認する場合でもまぶしさが低減されるものとなっているのである。
【００４５】
また、以上説明した実施形態に係る採光装置１Ａにおいては、拡散反射をする材料で第２反射部１２Ａの凸状円弧面１２Ａａを形成している。このため、第２反射部１２Ａによる拡散反射がより向上することとなる。
【００４６】
また、以上説明した実施形態に係る採光装置１Ａにおいては、屋内反射板１０Ａの第１反射部１１Ａの屋外反射板２に近い側に位置する端部１１Ａｃと、隣の屋内反射板１０Ａの第２反射部１２Ａの最も突出している凸部１２Ａｃと、を開口部Ｏに対して垂直な方向に延在する同一直線Ｓ上に配置している。このため、開口部Ｏを室内側から正面視した場合に、各屋内反射板１０Ａ同士が視覚上繋げられ、屋外反射板２が全面に亘って複数枚の屋内反射板１０Ａによって覆われる。従って、室内から屋外反射板２を直接目視することがない（屋外反射板２からの反射光Ｌ0が屋内反射板１０Ａを反射することなく室内に導光されることが防止される）ため、まぶしさが低減されることとなる。
【００４７】
なお、第１実施形態においては、第１反射部１１が屋外反射板２と平行になるように屋内反射板１０を配置した例を示したが、屋内反射板１０の配置方向を上下反転させる（すなわち、屋内反射板１０の第１反射部１１が外方側から屋内側になるに従って下方から上方へと延在するように傾斜配置する）こともできる。同様に、第２実施形態における屋内反射板１０Ａの配置方向を左右反転させることもできる。
【００４８】
また、以上の各実施形態においては、屋外反射板２の水平方向に対する角度を４５°に設定した例を示したが、屋外反射板２は天空光Ｌを屋内に向けて反射させるように機能するものであればよく、傾斜角度はこれに限られるものではない。
【００４９】
また、以上の各実施形態においては、開口部Ｏよりも屋内側に屋内反射板１０・１０Ａを配置した例を示したが、屋外反射板２と開口部Ｏの間に屋内反射板１０・１０Ａを配置することもできる。
【符号の説明】
【００５０】
１・１Ａ…採光装置
２…屋外反射板
３・３Ａ…ルーバー装置
１０・１０Ａ…屋内反射板
１１・１１Ａ…第１反射部
１１ａ・１１Ａａ…１次反射部
１１ｂ・１１Ａｂ…２次反射部
１１ｃ・１１Ａｃ…第１反射部の端部
１２・１２Ａ…第２反射部
１２ａ・１２Ａａ…凸状円弧面
１２ｃ・１２Ａｃ…第２反射部の凸部
Ｌ…天空光
Ｌ0…屋外反射板からの反射光
Ｌ1…１次反射部からの反射光
Ｏ…開口部
Ｓ…開口部に対して垂直な方向に延在する直線
Ｗ…建物の外壁
【図１】
0005735310.tif 000002
【図２】
0005735310.tif 000003
【図３】
0005735310.tif 000004
【図４】
0005735310.tif 000005
【図５】
0005735310.tif 000006